(57)【要約】  本開示は、情報伝送方法、ネットワーク機器及び端末を提供する。その方法において、上り信号を受信することと、上り信号の中の目標復調用参照信号ＤＭＲＳに基づいて、端末の上りデータを決定することとを含む。ここで、端末は、少なくとも２つの復調用参照信号ＤＭＲＳ識別子に対応し、目標ＤＭＲＳは、少なくとも２つのＤＭＲＳ識別子で指示されるＤＭＲＳのうちの１つである。
2021530167.tif 000002
【特許請求の範囲】
【請求項１】
ネットワーク機器側に応用される情報伝送方法であって、
目標復調用参照信号（ＤＭＲＳ）が含まれる上り信号を受信することと、
前記目標ＤＭＲＳに基づいて、端末の上りデータを決定することとを含み、
ここで、前記端末は、少なくとも２つの復調用参照信号ＤＭＲＳ識別子に対応し、前記目標ＤＭＲＳは、前記少なくとも２つのＤＭＲＳ識別子で指示されるＤＭＲＳのうちの１つである、情報伝送方法。
【請求項２】
上り信号を受信することの前に、
前記端末に対し少なくとも２つのＤＭＲＳ識別子を設定することを更に含む、請求項１に記載の情報伝送方法。
【請求項３】
前記ＤＭＲＳ識別子は、ＤＭＲＳ設定パラメータ及び／又はＤＭＲＳスクランブル情報を含む、請求項１に記載の情報伝送方法。
【請求項４】
前記ＤＭＲＳ設定パラメータは、ＤＭＲＳ設定の番号、ＤＭＲＳポート番号、ＤＭＲＳ時間領域位置、ＤＭＲＳとプリアンブルの対応関係、ＤＭＲＳと位相追従用参照信号（ＰＴＲＳ）の対応関係、ＤＭＲＳ帯域幅及びＤＭＲＳ伝送電力の少なくとも１つを含む、請求項３に記載の情報伝送方法。
【請求項５】
予め定義されて又はネットワーク機器によって設定された前記ＤＭＲＳ帯域幅は、前記上りデータが存在する多元接続リソースの帯域幅以上である、請求項４に記載の情報伝送方法。
【請求項６】
前記ＤＭＲＳ伝送電力は、同一リソースエレメント（ＲＥ）での前記端末の上りデータチャネルの電力と同一であり、
及び／又は、
各ＤＭＲＳポートに対応する前記ＤＭＲＳ伝送電力は、個別に設定される、請求項４に記載の情報伝送方法。
【請求項７】
前記ＤＭＲＳスクランブル情報は、ＤＭＲＳに対応する少なくとも２つのＤＭＲＳスクランブル識別子（ＩＤ）を含む、請求項３に記載の情報伝送方法。
【請求項８】
前記ＤＭＲＳ設定パラメータ及び／又は前記ＤＭＲＳスクランブル情報に対応する目標ＤＭＲＳは、前記上りデータと時分割多重される、請求項３に記載の情報伝送方法。
【請求項９】
上り信号を受信することの前に、
前記端末に対しＰＴＲＳ設定パラメータを設定することを更に含む、請求項１に記載の情報伝送方法。
【請求項１０】
１つのＰＴＲＳ設定パラメータは、１つのＤＭＲＳ識別子に対応する、請求項９に記載の情報伝送方法。
【請求項１１】
前記ＰＴＲＳ設定パラメータは、ＰＴＲＳ設定の番号、ＰＴＲＳポート番号、ＰＴＲＳ時間周波数領域位置、ＰＴＲＳ時間周波数領域密度、ＰＴＲＳとプリアンブルの対応関係、ＰＴＲＳとＤＭＲＳの対応関係、及びＰＴＲＳ伝送電力の少なくとも１つを含む、請求項９に記載の情報伝送方法。
【請求項１２】
目標復調用参照信号（ＤＭＲＳ）が含まれる上り信号を受信する第１受信モジュールと、
前記目標ＤＭＲＳに基づいて、端末の上りデータを決定する処理モジュールとを含み、
ここで、前記端末は、少なくとも２つの復調用参照信号ＤＭＲＳ識別子に対応し、前記目標ＤＭＲＳは、前記少なくとも２つのＤＭＲＳ識別子で指示されるＤＭＲＳのうちの１つである、ネットワーク機器。
【請求項１３】
プロセッサと、メモリと、前記メモリに格納されて前記プロセッサで実行可能なコンピュータプログラムとを含むネットワーク機器であって、
前記プロセッサが前記コンピュータプログラムを実行すると、請求項１〜１１のいずれか１項に記載の情報伝送方法が実現される、ネットワーク機器。
【請求項１４】
端末側に応用される情報伝送方法であって、
少なくとも２つの復調用参照信号（ＤＭＲＳ）識別子を受信することと、
目標ＤＭＲＳを用いて、多元接続リソースで上りデータを送信することとを含み、
ここで、前記目標ＤＭＲＳは、前記少なくとも２つのＤＭＲＳ識別子で指示されるＤＭＲＳのうちの１つである、情報伝送方法。
【請求項１５】
前記ＤＭＲＳ識別子は、ＤＭＲＳ設定パラメータ及び／又はＤＭＲＳスクランブル情報を含む、請求項１４に記載の情報伝送方法。
【請求項１６】
前記ＤＭＲＳ設定パラメータは、ＤＭＲＳ設定の番号、ＤＭＲＳポート番号、ＤＭＲＳ時間領域位置、ＤＭＲＳとプリアンブルの対応関係、ＤＭＲＳと位相追従用参照信号（ＰＴＲＳ）の対応関係、ＤＭＲＳ帯域幅及びＤＭＲＳ伝送電力の少なくとも１つを含む、請求項１５に記載の情報伝送方法。
【請求項１７】
予め定義されて又はネットワーク機器によって設定された前記ＤＭＲＳ帯域幅は、前記多元接続リソースの帯域幅以上である、請求項１６に記載の情報伝送方法。
【請求項１８】
前記ＤＭＲＳ伝送電力は、同一リソースエレメントＲＥでの前記端末の上りデータチャネルの電力と同一であり、
及び／又は、
各ＤＭＲＳポートに対応する前記ＤＭＲＳ伝送電力は、個別に設定される、請求項１６に記載の情報伝送方法。
【請求項１９】
前記ＤＭＲＳスクランブル情報は、ＤＭＲＳに対応する少なくとも２つのＤＭＲＳスクランブル識別子（ＩＤ）を含む、請求項１５に記載の情報伝送方法。
【請求項２０】
前記ＤＭＲＳ設定パラメータ及び／又は前記ＤＭＲＳスクランブル情報に対応する目標ＤＭＲＳは、前記上りデータと時分割多重される、請求項１５に記載の情報伝送方法。
【請求項２１】
少なくとも２つの復調用参照信号（ＤＭＲＳ）識別子を受信する第２受信モジュールと、
目標ＤＭＲＳを用いて、多元接続リソースで上りデータを送信する送信モジュールとを含み、
ここで、前記目標ＤＭＲＳは、前記少なくとも２つのＤＭＲＳ識別子で指示されるＤＭＲＳのうちの１つである、端末。
【請求項２２】
プロセッサと、メモリと、前記メモリに格納されて前記プロセッサで実行可能なコンピュータプログラムとを含む端末であって、
前記コンピュータプログラムが前記プロセッサによって実行されると、請求項１４〜２０のいずれか１項に記載の情報伝送方法が実現される、端末。
【請求項２３】
端末側に応用される情報伝送方法であって、
少なくとも２つの位相追従用参照信号（ＰＴＲＳ）設定パラメータを受信することと、
前記少なくとも２つのＰＴＲＳ設定パラメータに対応するＰＴＲＳ候補から１つを選択して送信することとを含む、情報伝送方法。
【請求項２４】
前記ＰＴＲＳ設定パラメータは、ＰＴＲＳ設定の番号、ＰＴＲＳポート番号、ＰＴＲＳ時間周波数領域位置、ＰＴＲＳ時間周波数領域密度、ＰＴＲＳとプリアンブルの対応関係、ＰＴＲＳと復調用参照信号（ＤＭＲＳ）の対応関係、及びＰＴＲＳ伝送電力の少なくとも１つを含む、請求項２３に記載の情報伝送方法。
【請求項２５】
前記ＰＴＲＳ設定パラメータにＰＴＲＳとＤＭＲＳの対応関係が含まれる場合、少なくとも２つの位相追従用参照信号ＰＴＲＳ設定パラメータを受信することの前に、
ＤＭＲＳの伝送リソースを取得することと、
前記伝送リソース及びＰＴＲＳとＤＭＲＳの対応関係に基づいて、前記ＰＴＲＳの目標伝送リソースを決定することとを更に含む、請求項２４に記載の情報伝送方法。
【請求項２６】
少なくとも２つの位相追従用参照信号（ＰＴＲＳ）設定パラメータを受信する受信モジュールと、
前記少なくとも２つのＰＴＲＳ設定パラメータに対応するＰＴＲＳ候補から１つを選択して送信する選択モジュールとを含む、端末。
【請求項２７】
プロセッサと、メモリと、前記メモリに格納されて前記プロセッサで実行可能なコンピュータプログラムとを含む端末であって、
前記プロセッサが前記コンピュータプログラムを実行すると、請求項２３〜２５のいずれか１項に記載の情報伝送方法が実現される、端末。
【請求項２８】
ネットワーク機器側に応用される情報伝送方法であって、
端末に対し少なくとも２つの位相追従用参照信号（ＰＴＲＳ）設定パラメータを設定することを含む、情報伝送方法。
【請求項２９】
前記ＰＴＲＳ設定パラメータは、ＰＴＲＳ設定の番号、ＰＴＲＳポート番号、ＰＴＲＳ時間周波数領域位置、ＰＴＲＳ時間周波数領域密度、ＰＴＲＳとプリアンブルの対応関係、ＰＴＲＳとＤＭＲＳの対応関係、及びＰＴＲＳ伝送電力の少なくとも１つを含む、請求項２８に記載の情報伝送方法。
【請求項３０】
端末に対し少なくとも２つの位相追従用参照信号（ＰＴＲＳ）設定パラメータを設定する設定モジュールを含む、ネットワーク機器。
【請求項３１】
プロセッサと、メモリと、前記メモリに格納されて前記プロセッサで実行可能なコンピュータプログラムとを含むネットワーク機器であって、
前記コンピュータプログラムが前記プロセッサによって実行されると、請求項２８又は２９に記載の情報伝送方法が実現される、ネットワーク機器。
【請求項３２】
コンピュータプログラムが格納されているコンピュータ読み取り可能な記憶媒体であって、
前記コンピュータプログラムがプロセッサによって実行されると、請求項１〜１１、１４〜２０、２３〜２５、２８〜２９のいずれか１項に記載の情報伝送方法が実現される、コンピュータ読み取り可能な記憶媒体。
【発明の詳細な説明】
【技術分野】
【０００１】
関連出願の相互参照
本願は、２０１８年０７月０６日に中国特許庁に提出された中国特許出願２０１８１０７３９０５９．０の優先権を主張し、その全ての内容が援用によりここに取り込まれる。
本開示は、通信技術分野に係り、特に情報伝送方法、ネットワーク機器及び端末に係る。
【背景技術】
【０００２】
５Ｇ（５ｔｈ  Ｇｅｎｅｒａｔｉｏｎ）移動通信システム又はＮＲ（Ｎｅｗ  Ｒａｄｉｏ）と呼ばれるシステムは、より多様なシナリオ及びサービスのニーズに適応し、その主なシナリオとして、ｅＭＢＢ（ｅｎｈａｎｃｅｄ  Ｍｏｂｉｌｅ  Ｂｒｏａｄｂａｎｄ）通信、ｍＭＴＣ（ｍａｓｓｉｖｅ  Ｍａｃｈｉｎｅ  Ｔｙｐｅ  Ｃｏｍｍｕｎｉｃａｔｉｏｎｓ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）を含む。これらのシナリオにおいて、システムは、高信頼性、低遅延、広い帯域幅、広いカバレッジなどが求められる。
【０００３】
システムの容量及びリソース利用効率を高めるために、複数の端末は、同じリソースで非直交の方式で伝送を行うことができる。また、ＮＲシステムは、半静的スケジューリング（ｃｏｎｆｉｇｕｒｅｄ  ｇｒａｎｔ）の上り伝送方式もサポートし、シグナリング対話フローを減らすことができ、端末の消費電力を低減することができる。端末が非直交上り伝送を行う場合、複数の異なる端末は、同じ伝送リソースを多重することができる。その場合、ネットワーク機器は、異なる端末の上り信号を区別する必要がある。データ伝送のために、異なる端末は、異なる多元接続ＭＡ（Ｍｕｌｔｉｐｌｅ  Ａｃｃｅｓｓ）シグネチャを採用する。ＭＡシグネチャは、復調用参照信号ＤＭＲＳ（Ｄｅ−Ｍｏｄｕｌａｔｉｏｎ  Ｒｅｆｅｒｅｎｃｅ  Ｓｉｇｎａｌ）を含むが、それに限定されない。異なる端末に対して異なるＤＭＲＳを設定して伝送する場合、端末間のデータ衝突は回避できるが、多数の端末が同時に伝送することに対応することは困難である。
【発明の概要】
【発明が解決しようとする課題】
【０００４】
本開示の一部実施例は、非直交上り伝送では多数の端末の同時伝送に対応することが難しいという問題を解決するために、情報伝送方法、ネットワーク機器及び端末を提供する。
【課題を解決するための手段】
【０００５】
第１態様として、本開示の一部実施例は、ネットワーク機器側に応用される情報伝送方法を提供し、目標復調用参照信号ＤＭＲＳが含まれる上り信号を受信することと、上り信号の中の目標ＤＭＲＳに基づいて、端末の上りデータを決定することとを含み、ここで、端末は、少なくとも２つの復調用参照信号ＤＭＲＳ識別子に対応し、目標ＤＭＲＳは、少なくとも２つのＤＭＲＳ識別子で指示されるＤＭＲＳのうちの１つである。
【０００６】
第２態様として、本開示の一部実施例は、ネットワーク機器を更に提供し、目標復調用参照信号ＤＭＲＳが含まれる上り信号を受信する第１受信モジュールと、上り信号の中の目標ＤＭＲＳに基づいて、端末の上りデータを決定する処理モジュールとを含み、ここで、端末は、少なくとも２つの復調用参照信号ＤＭＲＳ識別子に対応し、目標ＤＭＲＳは、少なくとも２つのＤＭＲＳ識別子で指示されるＤＭＲＳのうちの１つである。
【０００７】
第３態様として、本開示の一部実施例は、プロセッサと、メモリと、メモリに格納されてプロセッサで実行可能なコンピュータプログラムとを含むネットワーク機器を提供し、プロセッサがコンピュータプログラムを実行すると、上記の情報伝送方法が実現される。
【０００８】
第４態様として、本開示の一部実施例は、端末側に応用される情報伝送方法を提供し、少なくとも２つの復調用参照信号ＤＭＲＳ識別子を受信することと、目標ＤＭＲＳを用いて、多元接続リソースで上りデータを送信することとを含み、ここで、目標ＤＭＲＳは、少なくとも２つのＤＭＲＳ識別子で指示されるＤＭＲＳのうちの１つである。
【０００９】
第５態様として、本開示の一部実施例は、端末を提供し、少なくとも２つの復調用参照信号ＤＭＲＳ識別子を受信する第２受信モジュールと、目標ＤＭＲＳを用いて、多元接続リソースで上りデータを送信する送信モジュールとを含み、ここで、目標ＤＭＲＳは、少なくとも２つのＤＭＲＳ識別子で指示されるＤＭＲＳのうちの１つである。
【００１０】
第６態様として、本開示の一部実施例は、プロセッサと、メモリと、メモリに格納されてプロセッサで実行可能なコンピュータプログラムとを含む端末を更に提供し、コンピュータプログラムがプロセッサによって実行されると、上記の情報伝送方法が実現される。
【００１１】
第７態様として、本開示の一部実施例は、端末側に応用される情報伝送方法を提供し、少なくとも２つの位相追従用参照信号ＰＴＲＳ設定パラメータを受信することと、少なくとも２つのＰＴＲＳ設定パラメータに対応するＰＴＲＳ候補から１つを選択して送信することとを含む。
【００１２】
第８態様として、本開示の一部実施例は、端末を提供し、少なくとも２つの位相追従用参照信号ＰＴＲＳ設定パラメータを受信する受信モジュールと、少なくとも２つのＰＴＲＳ設定パラメータに対応するＰＴＲＳ候補から１つを選択して送信する選択モジュールとを含む。
【００１３】
第９態様として、本開示の一部実施例は、プロセッサと、メモリと、メモリに格納されてプロセッサで実行可能なコンピュータプログラムとを含む端末を提供し、プロセッサがコンピュータプログラムを実行すると、上記の情報伝送方法が実現される。
【００１４】
第１０態様として、本開示の一部実施例は、ネットワーク機器側に応用される情報伝送方法を提供し、端末に対し少なくとも２つの位相追従用参照信号ＰＴＲＳ設定パラメータを設定することを含む。
【００１５】
第１１態様として、本開示の一部実施例は、ネットワーク機器を提供し、端末に対し少なくとも２つの位相追従用参照信号ＰＴＲＳ設定パラメータを設定する設定モジュールを含む。
【００１６】
第１２態様として、本開示の一部実施例は、プロセッサと、メモリと、メモリに格納されてプロセッサで実行可能なコンピュータプログラムとを含むネットワーク機器を提供し、コンピュータプログラムがプロセッサによって実行されると、上記の情報伝送方法が実現される。
【００１７】
第１３態様として、本開示の一部実施例は、コンピュータプログラムが格納されているコンピュータ読み取り可能な記憶媒体を提供し、コンピュータプログラムがプロセッサによって実行されると、上記端末側又はネットワーク機器側の情報伝送方法が実現される。
【発明の効果】
【００１８】
このように、本開示の一部実施例は、上記技術手段を採用することによって、ＤＭＲＳ容量が増加し、非直交上り伝送の参照信号が衝突する確率を低減し、多数の端末の同時伝送に対応することもできる。
【図面の簡単な説明】
【００１９】
本開示の一部実施例の技術手段をより明確に説明するために、以下、本開示の一部実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００２０】
【図１】本開示の一部実施例の応用可能な移動通信システムのブロック図である。
【図２】本開示の一部実施例に係るネットワーク機器側の情報伝送方法のフローチャートその１である。
【図３】本開示の一部実施例におけるＤＭＲＳとＤＭＲＳスクランブルＩＤのマッピング関係図である。
【図４】本開示の一部実施例に係るネットワーク機器のモジュール構造図その１である。
【図５】本開示の一部実施例に係る端末側の情報伝送方法のフローチャートその１である。
【図６】本開示の一部実施例に係る端末のモジュール構造図その１である。
【図７】本開示の一部実施例に係る端末側の情報伝送方法のフローチャートその２である。
【図８】本開示の一部実施例に係る端末のモジュール構造図その２である。
【図９】本開示の一部実施例に係るネットワーク機器側の情報伝送方法のフローチャートその２である。
【図１０】本開示の一部実施例に係るネットワーク機器のモジュール構造図その２である。
【図１１】本開示の一部実施例に係るネットワーク機器のブロック図である。
【図１２】本開示の一部実施例に係る端末のブロック図である。
【発明を実施するための形態】
【００２１】
以下、添付図面を参照して本開示の例示的な実施例を更に詳細に記載する。本開示の例示的な実施例を図面に示しているが、本開示は、ここで説明した実施例に限定されることなく様々な形態で実現できることが理解されるべきである。これらの実施例を示すことは、本開示をより徹底的に理解してもらい、本開示の範囲を当業者に全面的に伝えるためである。
【００２２】
本開示の明細書及び特許請求の範囲における「第１」、「第２」などの用語は、特定の順序又は前後順を記述するために使用されるのではなく、類似の対象を区別するために使用される。そのように使用されるデータは、本明細書に記載される本開示の実施例が、例えば、本明細書に図示又は記載されるもの以外の順序でも実施できるように、適切に交換されることが理解されるべきである。更に、「含む」及び「有する」という用語ならびにそれらの任意の変形は、非排他的を意図しており、例えば、一連の工程又はユニットを含むプロセス、方法、システム、製品又は装置は、必ずしも明確に列挙されたそれらの工程又はユニットに限定されるものではなく、明確に列挙されていないものや、それらのプロセス、方法、製品又は装置に固有の他の工程又はユニットを含んでもよい。本明細書及び特許請求の範囲において、「及び／又は」は、連結された対象の少なくとも１つを意味する。
【００２３】
本明細書で説明される技術は、ロングタームエボリューションＬＴＥ（Ｌｏｎｇ  Ｔｉｍｅ  Ｅｖｏｌｕｔｉｏｎ）／ＬＴＥ−Ａ（ＬＴＥ−Ａｄｖａｎｃｅｄ）システムに限定されず、符号分割多元接続ＣＤＭＡ（Ｃｏｄｅ  Ｄｉｖｉｓｉｏｎ  Ｍｕｌｔｉｐｌｅ  Ａｃｃｅｓｓ）、時分割多元接続ＴＤＭＡ（Ｔｉｍｅ  Ｄｉｖｉｓｉｏｎ  Ｍｕｌｔｉｐｌｅ  Ａｃｃｅｓｓ）、周波数分割多元接続ＦＤＭＡ（Ｆｒｅｑｕｅｎｃｙ  Ｄｉｖｉｓｉｏｎ  Ｍｕｌｔｉｐｌｅ  Ａｃｃｅｓｓ）、直交周波数分割多元接続ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、シングルキャリア周波数分割多元接続ＳＣ−ＦＤＭＡ（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）及び他のシステムなどの様々な無線通信システムにも使用できる。用語「システム」及び「ネットワーク」は、しばしば交換可能に使用される。ＣＤＭＡシステムは、ＣＤＭＡ２０００、ユニバーサル地上無線アクセスＵＴＲＡ（Ｕｎｉｖｅｒｓａｌ  Ｔｅｒｒｅｓｔｒｉａｌ  Ｒａｄｉｏ  Ａｃｃｅｓｓ）などの無線技術を実現できる。ＵＴＲＡは、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）（登録商標）及び他のＣＤＭＡ変形形態を含む。ＴＤＭＡシステムは、グローバル移動通信システムＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）などの無線技術を実現できる。ＯＦＤＭＡシステムは、ＵＭＢ（Ｕｌｔｒａ  Ｍｏｂｉｌｅ  Ｂｒｏａｄｂａｎｄ）、Ｅ−ＵＴＲＡ（Ｅｖｏｌｕｔｉｏｎ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実現できる。ＵＴＲＡ及びＥ−ＵＴＲＡは、ユニバーサル移動体通信システムＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の部分である。ＬＴＥ及びＬＴＥ−Ａなどのより高レベルのＬＴＥは、Ｅ−ＵＴＲＡを使用する新しいＵＭＴＳリリースである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ：３  ＧＰＰ）という名称の組織からの文書に記載されている。ＣＤＭＡ２０００及びＵＭＢは、「第３世代パートナーシッププロジェクト２」（３ＧＰＰ２）という名称の組織からの文書に記載されている。本明細書で説明される技術は、以上で言及されたシステム及び無線技術に使用されるのみならず、他のシステム及び無線技術にも使用される。しかしながら、以下の説明は、例示の目的でＮＲシステムを説明し、以下の説明の大部分においてＮＲという用語が使用されるが、これらの技術は、ＮＲシステムの適用例以外の適用例にも適用される。
【００２４】
以下の説明は、特許請求の範囲に記載された範囲、適用可能性、又は構成を限定することなく、例を提供する。本開示の趣旨及び範囲から逸脱することなく、論じられた要素の機能及び構成を変更することができる。様々な例は、様々な手順又は構成要素を適切に省略、置換、又は追加することができる。例えば、説明された方法は、説明されたものとは異なる順序で実行されてもよく、様々なステップが追加、省略、又は組み合わされてもよい。更に、いくつかの例を基準して説明される特徴は、他の例において組み合わされてもよい。
【００２５】
図１を参照する。図１は、本開示の一部実施例の応用可能な無線通信システムのブロック図を示す。無線通信システムは、端末１１とネットワーク機器１２とを含む。ここで、端末１１は、端末機器又はユーザ端末ＵＥ（Ｕｓｅｒ  Ｅｑｕｉｐｍｅｎｔ）とも呼ばれる。端末１１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末ＰＤＡ（Ｐｅｒｓｏｎａｌ  Ｄｉｇｉｔａｌ  Ａｓｓｉｓｔａｎｔ）、モバイルネットワーク機器ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）又は車載機器などの端末側機器であってもよい。なお、本開示の一部実施例において、端末１１の具体的なタイプは、限定されない。ネットワーク機器１２は、基地局又はコアネットワークであってもよい。ここで、上記基地局は、５Ｇ以降のバージョンの基地局（例えば、ｇＮＢ、５Ｇ  ＮＲ  ＮＢなど）、又は他の通信システムにおける基地局（例えば、ｅＮＢ、ＷＬＡＮアクセスポイント、又は他のアクセスポイントなど）であってもよい。ここで、基地局は、ノードＢ、発展型ノードＢ、アクセスポイント、基地トランシーバ局ＢＴＳ（Ｂａｓｅ  Ｔｒａｎｓｃｅｉｖｅｒ  Ｓｔａｔｉｏｎ）、無線基地局、無線トランシーバ、基本サービスセットＢＳＳ（Ｂａｓｉｃ  Ｓｅｒｖｉｃｅ  Ｓｅｔ）、拡張サービスセットＥＳＳ（Ｅｘｔｅｎｄｅｄ  Ｓｅｒｖｉｃｅ  Ｓｅｔ）、Ｂノード、発展型Ｂノード（ｅＮＢ）、ホームＢノード、ホーム発展型ノードＢ、ＷＬＡＮアクセスポイント、ＷｉＦｉノード、又は所属分野における他の何らかの適切な用語で呼ばれてもよい。同様の技術的効果を奏する限り、前記基地局は、特定の技術用語に限定されない。なお、本開示の一部実施例において、単にＮＲシステムにおける基地局を例として説明するが、基地局の具体的な種類を限定しない。
【００２６】
基地局は、基地局制御装置の制御下で端末１１と通信し、様々な例では、基地局制御装置がコアネットワーク又はいくつかの基地局の一部である。いくつかの基地局は、バックホールを通じてコアネットワークと制御情報又はユーザデータを通信することができる。いくつかの例では、これらの基地局のいくつかは、有線又は無線通信リンクであるバックホールリンクを通じて、直接的又は間接的に互いに通信する。無線通信システムは、複数のキャリア（異なる周波数の波形信号）での動作をサポートする。マルチキャリア送信機は、変調された信号を複数のキャリアで同時に伝送することができる。例えば、各通信リンクは、様々な無線技術に従って変調されたマルチキャリア信号である。各変調信号は、異なるキャリアで送信され、制御情報（例えば、参照信号、制御チャネルなど）、オーバーヘッド情報、データなどを搬送する。
【００２７】
基地局は、１つ又は複数のアクセスポイントアンテナを介して端末１１と無線通信する。各基地局は、それぞれのカバレッジエリアに通信カバレッジを提供する。アクセスポイントのカバレッジエリアは、該カバレッジエリアの一部のみを構成するセクタに分割される。無線通信システムは、マクロ基地局、マイクロ基地局、又はピコ基地局などの異なるタイプの基地局を含む。基地局はまた、セルラー又はＷＬＡＮ無線アクセス技術などの異なる無線技術を利用する。基地局は、同じ又は異なるアクセスネットワーク又は事業者展開に関連付けられる。異なる基地局のカバレッジエリア（同じ又は異なるタイプの基地局のカバレッジエリア、同じ又は異なる無線技術を利用するカバレッジエリア、又は同じ又は異なるアクセスネットワークに属するカバレッジエリアを含む）は、オーバーラップしてもよい。
【００２８】
無線通信システムにおける通信リンクは、上りリンクＵＬ（Ｕｐｌｉｎｋ）伝送（例えば、端末１１からネットワーク機器１２への伝送）を搬送するための上りリンク、又は下りリンクＤＬ（Ｄｏｗｎｌｉｎｋ）伝送（例えば、ネットワーク機器１２から端末１１への伝送）を搬送するための下りリンクを含む。ＵＬ伝送は、逆方向リンク伝送とも呼ばれ、ＤＬ伝送は、順方向リンク伝送とも呼ばれる。下りリンク伝送は、認可周波数帯域、非認可周波数帯域、又はその両方を使用して行われる。同様に、上りリンク伝送は、認可周波数帯域、非認可周波数帯域、又はその両方を使用して行われる。
【００２９】
本開示の一部実施例は、ネットワーク機器側に応用される情報伝送方法を提供し、図２に示すように、該方法において、以下のステップを含む。ステップ２１において、目標復調用参照信号ＤＭＲＳが含まれる上り信号を受信する。ここでいう上り信号とは、上り非直交伝送信号を意味し、具体的には、該ステップは、非直交伝送モードにある端末から送信された上り信号を受信することである。該上り信号は、多元接続リソースで伝送される。該上り信号は、プリアンブルとＭＡシグネチャ（ｓｉｇｎａｔｕｒｅ）に基づくデータとを含み、又は、プリアンブルとＤＭＲＳとＭＡシグネチャに基づくデータとを含み、又は、ＤＭＲＳとＭＡシグネチャに基づくデータとを含む。ここで、上記プリアンブルは、サイクリックプレフィックス、プリアンブル系列、ガードインターバルを含む。ステップ２２において、目標ＤＭＲＳに基づいて、端末の上りデータを決定する。
【００３０】
ここで、該端末は、少なくとも２つの復調用参照信号ＤＭＲＳ識別子に対応し、目標ＤＭＲＳは、少なくとも２つのＤＭＲＳ識別子で指示されるＤＭＲＳのうちの１つである。更に、ステップ２１の前に、端末に対し少なくとも２つのＤＭＲＳ識別子を設定するステップを含む。即ち、ネットワーク機器が１つの端末に対し少なくとも２つのＤＭＲＳ識別子を設定することで、端末は、非直交上り伝送を行う場合に少なくとも２つのＤＭＲＳ識別子から１つを選択し、選択したＤＭＲＳ識別子で指示されるＤＭＲＳを用いて上り非直交伝送を行う。なお、ネットワーク機器が異なる端末に対して設定するＤＭＲＳ同士は、オーバーラップすることがある。例えば、ネットワーク機器は、端末１に対しＤＭＲＳ１、ＤＭＲＳ２、ＤＭＲＳ３、ＤＭＲＳ４を設定し、端末２にＤＭＲＳ２、ＤＭＲＳ３、ＤＭＲＳ５を設定する。１つの端末に少なくとも２つのＤＭＲＳ識別子を設定することで、ＤＭＲＳの選択の自由度が増し、ＤＭＲＳの容量が増加し、複数の端末間で同じＤＭＲＳを選択する確率が低下する。
【００３１】
ここで、上記ＤＭＲＳ識別子は、ＤＭＲＳ設定パラメータ及び／又はＤＭＲＳスクランブル情報を含む。以下、ＤＭＲＳ設定パラメータ及びＤＭＲＳスクランブル情報について、本開示の一部実施例を更に説明する。
【００３２】
ここで、ＤＭＲＳ設定パラメータは、ＤＭＲＳ設定の番号、ＤＭＲＳポート（ｐｏｒｔ）番号、ＤＭＲＳが存在する時間領域シンボルのようなＤＭＲＳ時間領域位置、ＤＭＲＳとプリアンブルの対応関係、ＤＭＲＳと位相追従用参照信号ＰＴＲＳ（Ｐｈａｓｅ  ｔｒａｃｋｉｎｇ  ｒｅｆｅｒｅｎｃｅ  ｓｉｇｎａｌ）の対応関係、ＤＭＲＳ帯域幅及びＤＭＲＳ伝送電力の少なくとも１つを含む。
ここで、ＤＭＲＳ設定の番号は、異なるＤＭＲＳ設定を区別するために使用される。ここでいうＤＭＲＳ設定の番号は、システムメンテナンスのＤＭＲＳインデックス番号（ｉｎｄｅｘ）であってもよく、例えば、システムのＤＭＲＳプールにＤＭＲＳ  ｉｎｄｅｘ１〜Ｍが含まれ、ネットワーク機器が端末にＤＭＲＳ  ｉｎｄｅｘ３を設定する場合、該ＤＭＲＳ設定の番号が３となる。又は、該ＤＭＲＳ設定の番号は、ネットワーク機器が端末に対して設定したＤＭＲＳ順序番号であり、例えば、システムのＤＭＲＳプールにＤＭＲＳ  ｉｎｄｅｘ１〜Ｍが含まれ、ネットワーク機器が端末にＤＭＲＳ  ｉｎｄｅｘ３、４、５を設定する場合、該ＤＭＲＳ設定の番号が１、２、３となる。
ＤＭＲＳとプリアンブルの対応関係について、ここでいう対応関係の指示方式は、明示的な指示であっても暗黙的な指示であってもよい。明示的指示を例にとると、該ＤＭＲＳ設定に対応するプリアンブル系列又はプリアンブルインデックスを、ＤＭＲＳ設定パラメータに直接指示する。暗黙的指示を例にとると、該ＤＭＲＳ設定に対応するプリアンブル系列又はプリアンブルインデックスを、予め定義された関連関係式によって決定する。
ＤＭＲＳと位相追従用参照信号ＰＴＲＳ（Ｐｈａｓｅ  ｔｒａｃｋｉｎｇ  ｒｅｆｅｒｅｎｃｅ  ｓｉｇｎａｌ）との対応関係について、ＤＭＲＳとプリアンブルとの対応関係の指示方式と類似しており、ＤＭＲＳと位相追従用参照信号ＰＴＲＳとの対応関係の指示方式は、明示的な指示であっても暗黙的な指示であってもよい。明示的な指示を例にとると、該ＤＭＲＳ設定に対応するＰＴＲＳパラメータ又はＰＴＲＳ設定パラメータの番号をＤＭＲＳ設定パラメータに直接指示する。暗黙的な指示を例にとると、該ＤＭＲＳ設定に対応するＰＴＲＳのパラメータ又はＰＴＲＳ設定パラメータの番号を、予め定義された関連関係式によって決定する。
ＤＭＲＳ帯域幅は、予め定義されるか、又はネットワーク機器によって設定される。ＤＭＲＳ帯域幅は、上りデータが存在する多元接続リソースの帯域幅以上である。任意選択で、ＤＭＲＳ帯域幅が予め定義される場合、デフォルトとして、ＤＭＲＳ帯域幅は、多元接続リソースの帯域幅と同じであり、即ち、ＤＭＲＳの帯域幅は、データ帯域幅と同じである。ＤＭＲＳ帯域幅がネットワーク機器によって設定される場合、マルチユーザ多重時のチャネル推定性能を保証するために、ＤＭＲＳ帯域幅は、多元接続リソースの帯域幅よりも大きくてもよい。これにより、より長いＤＭＲＳ系列を採用することができ、異なるユーザ間のＤＭＲＳの直交性を向上させることができる。
ＤＭＲＳ伝送電力は、同じリソースエレメントＲＥにおける端末の上りデータチャネルの電力と同じであり、即ち、ＤＭＲＳは、同じＲＥにおけるデータの電力と同じである。具体的には、ＤＭＲＳ帯域幅がデータ伝送の帯域幅と同じである場合、ＤＭＲＳは、同じＲＥにおけるデータの電力と同じである。一方、ＤＭＲＳの帯域幅がデータ伝送の帯域幅より大きい場合、ＤＭＲＳの送信電力は、データの送信電力と一致に保持される。即ち、ＤＭＲＳとデータとの同一ＲＥでの電力は異なる。及び／又は、各ＤＭＲＳポートに対応するＤＭＲＳ伝送電力は、個別に設定される。例えば、ＤＭＲＳが電力ブースト（ｐｏｗｅｒ  ｂｏｏｓｔｉｎｇ）方式を採用する場合、Ｐｏｗｅｒ  ｂｏｏｓｔｉｎｇは、各ＤＭＲＳポートに基づいて設定される。具体的には、ＤＭＲＳとデータ伝送との帯域幅が同一であり、且つＤＭＲＳが同一のＯＦＤＭシンボルでデータと周波数分割多重されない場合、ＤＭＲＳは、電力ブーストを行うことができる。
【００３３】
以上、ＤＭＲＳ設定パラメータの関連実施例を紹介したが、以下、本実施例では、更に、ＤＭＲＳ識別子にＤＭＲＳスクランブル情報を含める関連実施例について紹介する。
【００３４】
ＤＭＲＳスクランブル情報は、ＤＭＲＳに対応する少なくとも２つのＤＭＲＳスクランブル識別子（即ち、スクランブルＩＤ）を含む。そのうちの１つのＤＭＲＳ識別子は、１つのＤＭＲＳに対応する。即ち、ネットワーク機器が端末に少なくとも２つのＤＭＲＳを設定し、それら２つのＤＭＲＳが少なくとも２つのＤＭＲＳスクランブルＩＤに対応する。その場合、ＤＭＲＳとＤＭＲＳスクランブルＩＤとの対応関係は、図３に示されるように、１つのＤＭＲＳが１つのＤＭＲＳスクランブルＩＤに対応し、例えば、ＤＭＲＳ  ｉｎｄｅｘ０がＤＭＲＳスクランブルＩＤ０に対応し、ＤＭＲＳ  ｉｎｄｅｘ１がＤＭＲＳスクランブルＩＤ１に対応し、…、ＤＭＲＳ  ｉｎｄｅｘｎがＤＭＲＳスクランブルＩＤｎに対応する。ここで、ｋ＝ｎ  ｍｏｄ  Ｌ。ｎは、ＤＭＲＳの数であり、Ｌは、ＤＭＲＳスクランブルＩＤの数である。又は、ＤＭＲＳとＤＭＲＳスクランブルＩＤの対応関係は、１つのＤＭＲＳが少なくとも２つのＤＭＲＳスクランブルＩＤに対応する。端末は、この少なくとも２つのＤＭＲＳスクランブルＩＤから１つをランダムに選択してＤＭＲＳにスクランブルをかけることができる。異なる端末が同じＤＭＲＳを用いても、用いるＤＭＲＳスクランブルＩＤが異なるため、信号の衝突が発生しない。ここで、ネットワーク機器は、ＤＭＲＳ毎に全てのＤＭＲＳスクランブルＩＤを任意選択のセットとして設定し、即ち、ＤＭＲＳ０〜ｎのＤＭＲＳスクランブルＩＤが全てＤＭＲＳスクランブルＩＤ０〜ｋを含む。このようなシナリオは、ＤＭＲＳとＤＭＲＳスクランブルＩＤに対応関係がないと理解してもよい。
【００３５】
本開示の一部実施例における目標ＤＭＲＳは、上りデータ（端末の上りデータ）と時分割多重される。なお、１つのＯＦＤＭシンボルでは、ＤＭＲＳが上りデータと周波数分割多重されない。該目標ＤＭＲＳは、ＤＭＲＳ設定パラメータ及び／又はＤＭＲＳスクランブル情報に対応する。即ち、ＤＭＲＳ設定パラメータに対応するＤＭＲＳと端末の上りデータが時分割多重され、ＤＭＲＳスクランブルＩＤに対応するＤＭＲＳと端末の上りデータが時分割多重され、ＤＭＲＳ設定パラメータとＤＭＲＳスクランブルＩＤに対応するＤＭＲＳと端末の上りデータが時分割多重される。
【００３６】
更に、ステップ２１の前に、該方法において、端末に対しＰＴＲＳ設定パラメータを設定するステップを更に含む。具体的には、ネットワーク機器は、端末に対し少なくとも２つのＰＴＲＳを設定し、１つのＰＴＲＳ設定パラメータが１つのＤＭＲＳ識別子に対応する。
【００３７】
具体的には、ＰＴＲＳ設定パラメータは、ＰＴＲＳ設定の番号、ＰＴＲＳポート番号、ＰＴＲＳが存在する時間領域シンボル、ＰＴＲＳが存在するサブキャリアのようなＰＴＲＳ時間周波数領域位置、ＰＴＲＳの時間領域密度及び／又は周波数領域密度であるＰＴＲＳ時間周波数領域密度、ＰＴＲＳとプリアンブルの対応関係、ＰＴＲＳとＤＭＲＳの対応関係、及びＰＴＲＳ伝送電力の少なくとも１つを含む。
ここで、ＰＴＲＳ設定の番号は、異なるＰＴＲＳ設定を区別するために使用される。ここでいうＰＴＲＳ設定の番号は、システムメンテナンスのＰＴＲＳインデックス番号（ｉｎｄｅｘ）であってもよく、例えばシステムのＰＴＲＳプールにＰＴＲＳ  ｉｎｄｅｘ１〜Ｎが含まれ、ネットワーク機器が端末にＰＴＲＳ  ｉｎｄｅｘ３を設定すると、該ＰＴＭＲＳ設定の番号が３となる。又は、該ＰＴＲＳ設定の番号は、ネットワーク機器が端末に対し設定するＰＴＲＳ順序番号であり、例えば、システムのＰＴＲＳプールにＰＴＲＳ  ｉｎｄｅｘ１〜Ｎが含まれ、ネットワーク機器が端末に対しＰＴＲＳ  ｉｎｄｅｘ３、４、５を設定すると、該ＰＴＲＳ設定の番号が１、２、３となる。
ＰＴＲＳとプリアンブルの対応関係について、ここでいう対応関係の指示方式は、明示的な指示でも暗黙的な指示でもよい。明示的な指示を例にとると、該ＰＴＲＳ設定に対応するプリアンブル系列又はプリアンブルインデックスを、ＰＴＲＳ設定パラメータに直接指示する。暗黙的な指示を例にとると、該ＰＴＲＳ設定に対応するプリアンブル系列又はプリアンブルインデックスを、予め定義された関連関係式によって決定する。
ＰＴＲＳとＤＭＲＳの対応関係について、ＰＴＲＳとプリアンブルの対応関係の指示方式と類似しており、ＰＴＲＳとＤＭＲＳの対応関係の指示方式は、明示的な指示でも暗黙的な指示でもよい。明示的な指示を例にとると、該ＰＴＲＳ設定に対応するＤＭＲＳ設定パラメータの番号を、ＰＴＲＳ設定パラメータに直接指示する。暗黙的な指示を例にとると、該ＰＴＲＳ設定に対応するＤＭＲＳ設定パラメータの番号を、予め定義された関連関係式によって決定する。
【００３８】
本開示の一部実施例に係るネットワーク機器が端末に対し少なくとも２つのＤＭＲＳ識別子を設定することによって、端末は、この少なくとも２つのＤＭＲＳ識別子から１つを選択する。このように、端末の選択可能なＤＭＲＳが増加し、ＤＭＲＳ容量がある程度増加し、非直交上り伝送の参照信号が衝突する確率を低減し、多数の端末の同時伝送に対応することもできる。
【００３９】
以上の実施例は、異なるシナリオにおける情報伝送方法をそれぞれ詳細に紹介したが、以下、本実施例において、更に、それに対応するネットワーク機器を図面に基づいて紹介する。
【００４０】
図４に示すように、本開示の一部実施例に係るネットワーク機器４００は、実施例における、上り信号を受信し、上り信号の中の目標復調用参照信号ＤＭＲＳに基づいて端末の上りデータを決定する方法のディテールを実現することができ、同じ効果を奏することもできる。ここで、端末は、少なくとも２つの復調用参照信号ＤＭＲＳ識別子に対応し、目標ＤＭＲＳは、少なくとも２つのＤＭＲＳ識別子で指示されるＤＭＲＳのうちの１つである。該ネットワーク機器４００は、具体的には、目標復調用参照信号ＤＭＲＳが含まれる上り信号を受信する第１受信モジュール４１０と、目標ＤＭＲＳに基づいて、端末の上りデータを決定する処理モジュール４２０とを含む。ここで、端末は、少なくとも２つの復調用参照信号ＤＭＲＳ識別子に対応し、目標ＤＭＲＳは、前記少なくとも２つのＤＭＲＳ識別子で指示されるＤＭＲＳのうちの１つである。
【００４１】
ここで、ネットワーク機器４００は、端末に対し少なくとも２つのＤＭＲＳ識別子を設定する第１設定モジュールを更に含む。
【００４２】
ここで、ＤＭＲＳ識別子は、ＤＭＲＳ設定パラメータ及び／又はＤＭＲＳスクランブル情報を含む。
【００４３】
ここで、ＤＭＲＳ設定パラメータは、ＤＭＲＳ設定の番号、ＤＭＲＳポート番号、ＤＭＲＳ時間領域位置、ＤＭＲＳとプリアンブルの対応関係、ＤＭＲＳと位相追従用参照信号ＰＴＲＳの対応関係、ＤＭＲＳ帯域幅及びＤＭＲＳ伝送電力の少なくとも１つを含む。
【００４４】
ここで、予め定義されて又はネットワーク機器によって設定されたＤＭＲＳ帯域幅は、上りデータが存在する多元接続リソースの帯域幅以上である。
【００４５】
ここで、ＤＭＲＳ伝送電力は、同一リソースエレメントＲＥでの端末の上りデータチャネルの電力と同一であり、及び／又は、各ＤＭＲＳポートに対応するＤＭＲＳ伝送電力は、個別に設定される。
【００４６】
ここで、ＤＭＲＳスクランブル情報は、ＤＭＲＳに対応する少なくとも２つのＤＭＲＳスクランブル識別子ＩＤを含む。
【００４７】
ここで、ＤＭＲＳ設定パラメータ及び／又はＤＭＲＳスクランブル情報に対応する目標ＤＭＲＳは、上りデータと時分割多重される。
【００４８】
ここで、ネットワーク機器は、端末に対しＰＴＲＳ設定パラメータを設定する第２設定モジュールを更に含む。
【００４９】
ここで、１つのＰＴＲＳ設定パラメータは、１つのＤＭＲＳ識別子に対応する。
【００５０】
ここで、ＰＴＲＳ設定パラメータは、ＰＴＲＳ設定の番号、ＰＴＲＳポート番号、ＰＴＲＳ時間周波数領域位置、ＰＴＲＳ時間周波数領域密度、ＰＴＲＳとプリアンブルの対応関係、ＰＴＲＳとＤＭＲＳの対応関係、及びＰＴＲＳ伝送電力の少なくとも１つを含む。
【００５１】
なお、本開示の一部実施例に係るネットワーク機器が端末に対し少なくとも２つのＤＭＲＳ識別子を設定することによって、端末は、この少なくとも２つのＤＭＲＳ識別子から１つを選択する。このように、端末の選択可能なＤＭＲＳが増加し、ＤＭＲＳ容量がある程度増加し、非直交上り伝送の参照信号が衝突する確率を低減し、多数の端末の同時伝送に対応することもできる。
【００５２】
上記目的をよりよく実現するために、本開示の実施例は、プロセッサと、メモリと、メモリに格納されてプロセッサで実行可能なコンピュータプログラムとを含むネットワーク機器を更に提供し、プロセッサがコンピュータプログラムを実行すると、上記の情報伝送方法のステップが実現される、発明の実施例は、コンピュータプログラムが格納されているコンピュータ読み取り可能な記憶媒体を更に提供し、コンピュータプログラムがプロセッサによって実行されると、上記の情報伝送方法のステップが実現される。
【００５３】
以上の実施例は、ネットワーク機器側から本開示の情報伝送方法を紹介したが、以下、本実施例において、更に、端末側の情報伝送方法について図面に基づいて紹介する。
【００５４】
本開示の一部実施例は、端末側に応用される情報伝送方法を提供し、図５に示すように、該方法において、以下のステップを含む。ステップ５１において、少なくとも２つの復調用参照信号ＤＭＲＳ識別子を受信する。即ち、ネットワーク機器は、１つの端末に対し少なくとも２つのＤＭＲＳ識別子を設定する。なお、ネットワーク機器が異なる端末に対して設定するＤＭＲＳ同士は、オーバーラップすることがある。例えば、ネットワーク機器は、端末１に対しＤＭＲＳ１、ＤＭＲＳ２、ＤＭＲＳ３、ＤＭＲＳ４を設定し、端末２にＤＭＲＳ２、ＤＭＲＳ３、ＤＭＲＳ５を設定する。１つの端末に少なくとも２つのＤＭＲＳ識別子を設定することで、ＤＭＲＳの選択の自由度が増し、ＤＭＲＳの容量が増加し、複数の端末間で同じＤＭＲＳを選択する確率が低下する。ステップ５２において、目標ＤＭＲＳを用いて、多元接続リソースで上りデータを送信する。
【００５５】
ここで、目標ＤＭＲＳは、少なくとも２つのＤＭＲＳ識別子で指示されるＤＭＲＳのうちの１つである。即ち、端末は、非直交上り伝送を行う場合に少なくとも２つのＤＭＲＳ識別子から１つを選択し、選択したＤＭＲＳ識別子で指示されるＤＭＲＳを用いて上り非直交伝送を行う。
【００５６】
ここで、ＤＭＲＳ識別子は、ＤＭＲＳ設定パラメータ及び／又はＤＭＲＳスクランブル情報を含む。
【００５７】
更に、ＤＭＲＳ設定パラメータは、ＤＭＲＳ設定の番号、ＤＭＲＳポート番号、ＤＭＲＳ時間領域位置、ＤＭＲＳとプリアンブルの対応関係、ＤＭＲＳと位相追従用参照信号ＰＴＲＳの対応関係、ＤＭＲＳ帯域幅及びＤＭＲＳ伝送電力の少なくとも１つを含む。
【００５８】
ここで、予め定義されて又はネットワーク機器によって設定されたＤＭＲＳ帯域幅は、多元接続リソースの帯域幅以上である。
【００５９】
ここで、ＤＭＲＳ伝送電力は、同一リソースエレメントＲＥでの端末の上りデータチャネルの電力と同一であり、及び／又は、各ＤＭＲＳポートに対応するＤＭＲＳ伝送電力は、個別に設定される。
【００６０】
一方、ＤＭＲＳスクランブル情報は、ＤＭＲＳに対応する少なくとも２つのＤＭＲＳスクランブル識別子ＩＤを含む。
【００６１】
ここで、ＤＭＲＳ設定パラメータ及び／又はＤＭＲＳスクランブル情報に対応する目標ＤＭＲＳは、上りデータと時分割多重される。
【００６２】
なお、該端末側の実施例は、上記のネットワーク機器側の情報伝送方法に対応し、上記のネットワーク機器側の各実現形態は、端末の実施例に適応し、例えば端末が正しく受信した情報が、ネットワーク機器から送信された情報に一致する。よって、ここでは繰り返して述べない。
【００６３】
本開示の一部実施例に係る情報伝送方法において、端末が、ネットワーク機器によって設定された少なくとも２つのＤＭＲＳ識別子から１つを選択して非直交上り伝送を行うことで、選択可能なＤＭＲＳが増加し、ＤＭＲＳ容量がある程度増加し、非直交上り伝送の参照信号が衝突する確率を低減し、多数の端末の同時伝送に対応することもできる。
【００６４】
以上の実施例は、異なるシナリオにおける情報伝送方法を紹介したが、以下、更に、それに対応する端末について、図面に基づいて紹介する。
【００６５】
図６に示すように、本開示の一部実施例に係る端末６００は、上記実施例における、少なくとも２つの復調用参照信号ＤＭＲＳ識別子を受信し、目標ＤＭＲＳを用いて、多元接続リソースで上りデータを送信する方法のディテールを実現することができ、同じ効果を奏することもできる。ここで、目標ＤＭＲＳは、少なくとも２つのＤＭＲＳ識別子で指示されるＤＭＲＳのうちの１つである。該端末６００は、具体的には、少なくとも２つの復調用参照信号ＤＭＲＳ識別子を受信する第２受信モジュール６１０と、目標ＤＭＲＳを用いて、多元接続リソースで上りデータを送信する送信モジュール６２０を含む。ここで、目標ＤＭＲＳは、少なくとも２つのＤＭＲＳ識別子で指示されるＤＭＲＳのうちの１つである。
【００６６】
ここで、ＤＭＲＳ識別子は、ＤＭＲＳ設定パラメータ及び／又はＤＭＲＳスクランブル情報を含む。
【００６７】
ここで、ＤＭＲＳ設定パラメータは、ＤＭＲＳ設定の番号、ＤＭＲＳポート番号、ＤＭＲＳ時間領域位置、ＤＭＲＳとプリアンブルの対応関係、ＤＭＲＳと位相追従用参照信号ＰＴＲＳの対応関係、ＤＭＲＳ帯域幅及びＤＭＲＳ伝送電力の少なくとも１つを含む。
【００６８】
ここで、予め定義されて又はネットワーク機器によって設定されたＤＭＲＳ帯域幅は、前記多元接続リソースの帯域幅以上である。
【００６９】
ここで、ＤＭＲＳ伝送電力は、同一リソースエレメントＲＥでの端末の上りデータチャネルの電力と同一であり、及び／又は、各ＤＭＲＳポートに対応するＤＭＲＳ伝送電力は、個別に設定される。
【００７０】
ここで、ＤＭＲＳスクランブル情報は、ＤＭＲＳに対応する少なくとも２つのＤＭＲＳスクランブル識別子ＩＤを含む。
【００７１】
ここで、ＤＭＲＳ設定パラメータ及び／又はＤＭＲＳスクランブル情報に対応する目標ＤＭＲＳは、上りデータと時分割多重される。
【００７２】
なお、本開示の一部実施例に係る端末は、ネットワーク機器によって設定された少なくとも２つのＤＭＲＳ識別子から１つを選択して非直交上り伝送を行うことで、選択可能なＤＭＲＳが増加し、ＤＭＲＳ容量がある程度増加し、非直交上り伝送の参照信号が衝突する確率を低減し、多数の端末の同時伝送に対応することもできる。
【００７３】
本開示の別の実施例において、伝送の有効性を高めるために、１６ＱＡＭ、６４ＱＡＭ、２５６ＱＡＭなどの高次変調が使用されることが多い。しかしながら、高次変調は、位相雑音の影響を受けやすい。また、変調次数が高いほど位相雑音に敏感である。また、端末の周波数オフセットは、チャネル推定の性能低下を招く。位相雑音を除去し、周波数オフセットの影響を補うために、送信側は、ＰＴＲＳのように受信側で既知の参照信号を送信する必要がある。しかし、従来技術において、非直交上り伝送シナリオにおけるＰＴＲＳの設定方式が提案されていない。
【００７４】
本開示の一部実施例は、端末側に応用される情報伝送方法を提供し、図７に示すように、該方法において、以下のステップを含む。ステップ７１において、少なくとも２つの位相追従用参照信号ＰＴＲＳ設定パラメータを受信する。ここで、端末は、ネットワーク機器から設定された少なくとも２つのＰＴＲＳ設定パラメータを受信する。ステップ７２において、少なくとも２つのＰＴＲＳ設定パラメータに対応するＰＴＲＳ候補から１つを選択して送信する。
【００７５】
端末は、ネットワーク機器から設定された少なくとも２つのＰＴＲＳ設定パラメータから１つを選択し、選択したＰＴＲＳ設定パラメータに対応するＰＴＲＳを送信することで、受信側は、該ＰＴＲＳに基づいて位相雑音を推定し、対応する位相補償を行うことができる。一般に、ＰＴＲＳの周波数領域密度は、システム帯域幅に依存し、例えば、１つ又は複数の物理リソースブロックＰＲＢ（Ｐｈｙｓｉｃａｌ  Ｒｅｓｏｕｒｃｅ  ｂｌｏｃｋ）おきに１つのＰＴＲＳサブキャリアを挿入する。時間領域密度は、データシンボルの変調符号化方式ＭＣＳ（Ｍｏｄｕｌａｔｉｏｎ  Ｃｏｄｉｎｇ  Ｓｃｈｅｍｅ）に関連し、例えば１つ又は複数のシンボルおきに１つのＰＴＲＳシンボルを挿入する。
【００７６】
具体的には、ＰＴＲＳ設定パラメータは、ＰＴＲＳ設定の番号、ＰＴＲＳポート番号、ＰＴＲＳが存在する時間領域シンボル、ＰＴＲＳが存在するサブキャリアのようなＰＴＲＳ時間周波数領域位置、ＰＴＲＳの時間領域密度及び／又は周波数領域密度であるＰＴＲＳ時間周波数領域密度、ＰＴＲＳとプリアンブルの対応関係、ＰＴＲＳとＤＭＲＳの対応関係、及びＰＴＲＳ伝送電力の少なくとも１つを含む。ここで、ＰＴＲＳ設定の番号は、異なるＰＴＲＳ設定を区別するために使用される。ここでいうＰＴＲＳ設定の番号は、システムメンテナンスのＰＴＲＳインデックス番号（ｉｎｄｅｘ）であってもよく、例えばシステムのＰＴＲＳプールにＰＴＲＳ  ｉｎｄｅｘ１〜Ｎが含まれ、ネットワーク機器が端末にＰＴＲＳ  ｉｎｄｅｘ３を設定すると、該ＰＴＭＲＳ設定の番号が３となる。又は、該ＰＴＲＳ設定の番号は、ネットワーク機器が端末に対し設定するＰＴＲＳ順序番号であり、例えば、システムのＰＴＲＳプールにＰＴＲＳ  ｉｎｄｅｘ１〜Ｎが含まれ、ネットワーク機器が端末に対しＰＴＲＳ  ｉｎｄｅｘ３、４、５を設定すると、該ＰＴＲＳ設定の番号が１、２、３となる。
ＰＴＲＳとプリアンブルの対応関係について、ここでいう対応関係の指示方式は、明示的な指示でも暗黙的な指示でもよい。明示的な指示を例にとると、該ＰＴＲＳ設定に対応するプリアンブル系列又はプリアンブルインデックスを、ＰＴＲＳ設定パラメータに直接指示する。暗黙的な指示を例にとると、該ＰＴＲＳ設定に対応するプリアンブル系列又はプリアンブルインデックスを、予め定義された関連関係式によって決定する。
ＰＴＲＳとＤＭＲＳの対応関係について、ＰＴＲＳとプリアンブルの対応関係の指示方式と類似しており、ＰＴＲＳとＤＭＲＳの対応関係の指示方式は、明示的な指示でも暗黙的な指示でもよい。明示的な指示を例にとると、該ＰＴＲＳ設定に対応するＤＭＲＳ設定パラメータの番号を、ＰＴＲＳ設定パラメータに直接指示する。暗黙的な指示を例にとると、該ＰＴＲＳ設定に対応するＤＭＲＳ設定パラメータの番号を、予め定義された関連関係式によって決定する。
【００７７】
ＰＴＲＳ設定パラメータにＰＴＲＳとＤＭＲＳの対応関係が含まれる場合、ステップ７１の前に、ＤＭＲＳの伝送リソースを取得するステップと、該伝送リソース及びＰＴＲＳとＤＭＲＳの対応関係に基づいて、ＰＴＲＳの目標伝送リソースを決定するステップとを更に含む。
【００７８】
本開示の一部実施例に係る情報伝送方法において、非直交上り伝送シナリオでは、端末は、ネットワーク機器から設定された少なくとも２つのＰＴＲＳ設定パラメータに対応するＰＴＲＳ候補から１つを選択して送信し、非直交上り伝送における位相雑音及び周波数オフセットの伝送性能への影響を除去し、伝送性能を向上させる。
【００７９】
以上の実施例は、異なるシナリオにおける情報伝送方法をそれぞれ詳細に紹介したが、以下、本実施例において、更に、それに対応する端末について図面に基づいて紹介する。
【００８０】
図８に示すように、本開示の一部実施例に係る端末８００は、実施例における、少なくとも２つの位相追従用参照信号ＰＴＲＳ設定パラメータを受信し、少なくとも２つのＰＴＲＳ設定パラメータに対応するＰＴＲＳ候補から１つを選択して送信する方法のディテールを実現することができ、同じ効果を奏することもできる。該端末８００は、具体的には、少なくとも２つの位相追従用参照信号ＰＴＲＳ設定パラメータを受信する受信モジュール８１０と、少なくとも２つのＰＴＲＳ設定パラメータに対応するＰＴＲＳ候補から１つを選択して送信する選択モジュール８２０とを含む。
【００８１】
ここで、ＰＴＲＳ設定パラメータは、ＰＴＲＳ設定の番号、ＰＴＲＳポート番号、ＰＴＲＳ時間周波数領域位置、ＰＴＲＳ時間周波数領域密度、ＰＴＲＳとプリアンブルの対応関係、ＰＴＲＳと復調用参照信号ＤＭＲＳの対応関係、及びＰＴＲＳ伝送電力の少なくとも１つを含む。
【００８２】
ここで、ＰＴＲＳ設定パラメータにＰＴＲＳとＤＭＲＳの対応関係が含まれる場合、端末８００は、ＤＭＲＳの伝送リソースを取得する取得モジュールと、伝送リソース及びＰＴＲＳとＤＭＲＳの対応関係に基づいて、ＰＴＲＳの目標伝送リソースを決定する決定モジュールとを更に含む。
【００８３】
本開示の一部実施例に係る端末は、ネットワーク機器から設定された少なくとも２つのＰＴＲＳ設定パラメータに対応するＰＴＲＳ候補から１つを選択して送信し、非直交上り伝送における位相雑音及び周波数オフセットの伝送性能への影響を除去し、伝送性能を向上させる。
【００８４】
以上の実施例は、端末側から本発明の情報伝送方法を紹介したが、以下、本実施例は、更に、ネットワーク機器側の情報伝送方法について図面に基づいて紹介する。
【００８５】
図９に示すように、本開示の一部実施例は、端末に応用される情報伝送方法を提供し、端末に対し少なくとも２つの位相追従用参照信号ＰＴＲＳ設定パラメータを設定するステップ９１を含む。
【００８６】
端末は、ネットワーク機器から設定された少なくとも２つのＰＴＲＳ設定パラメータから１つを選択し、選択したＰＴＲＳ設定パラメータに対応するＰＴＲＳを送信することで、受信側は、該ＰＴＲＳに基づいて位相雑音を推定し、対応する位相補償を行うことができる。一般に、ＰＴＲＳの周波数領域密度は、システム帯域幅に依存し、例えば、１つ又は複数のＰＲＢおきに１つのＰＴＲＳサブキャリアを挿入する。時間領域密度は、データシンボルのＭＣＳに関連し、例えば１つ又は複数のシンボルおきに１つのＰＴＲＳシンボルを挿入する。なお、本ネットワーク機器側の実施例は、上記の端末側の実施例に対応し、上記の端末の実施例の各実施形態は、いずれもネットワーク機器の実施例に適用する。
【００８７】
ここで、ＰＴＲＳ設定パラメータは、ＰＴＲＳ設定の番号、ＰＴＲＳポート番号、ＰＴＲＳ時間周波数領域位置、ＰＴＲＳ時間周波数領域密度、ＰＴＲＳとプリアンブルの対応関係、ＰＴＲＳとＤＭＲＳの対応関係、及びＰＴＲＳ伝送電力の少なくとも１つを含む。
【００８８】
本開示の一部実施例に係る情報伝送方法において、ネットワーク機器は、端末に対し少なくとも２つのＰＴＲＳ設定パラメータを設定することによって、端末は、ネットワーク機器から設定された少なくとも２つのＰＴＲＳ設定パラメータに対応するＰＴＲＳ候補から１つを選択して送信し、非直交上り伝送における位相雑音及び周波数オフセットの伝送性能への影響を除去し、伝送性能を向上させる。
【００８９】
以上の実施例は、異なるシナリオにおける情報伝送方法をを紹介したが、以下、更に、それに対応するネットワーク機器について図面に基づいて紹介する。
【００９０】
図１０に示すように、本開示の一部実施例に係るネットワーク機器１０００は、上記実施例における、端末に対し少なくとも２つの位相追従用参照信号ＰＴＲＳ設定パラメータを設定する方法のディテールを実現することができ、同じ効果を奏することもできる。該ネットワーク機器１０００は、具体的には、端末に対し少なくとも２つの位相追従用参照信号ＰＴＲＳ設定パラメータを設定する設定モジュール１０１０を含む。ここで、ＰＴＲＳ設定パラメータは、ＰＴＲＳ設定の番号、ＰＴＲＳポート番号、ＰＴＲＳ時間周波数領域位置、ＰＴＲＳ時間周波数領域密度、ＰＴＲＳとプリアンブルの対応関係、ＰＴＲＳとＤＭＲＳの対応関係、及びＰＴＲＳ伝送電力の少なくとも１つを含む。
【００９１】
なお、本開示の一部実施例に係るネットワーク機器は、端末に対し少なくとも２つのＰＴＲＳ設定パラメータを設定することによって、端末は、ネットワーク機器から設定された少なくとも２つのＰＴＲＳ設定パラメータに対応するＰＴＲＳ候補から１つを選択して送信し、非直交上り伝送における位相雑音及び周波数オフセットの伝送性能への影響を除去し、伝送性能を向上させる。
【００９２】
なお、以上のネットワーク機器及び端末の各モジュールの分割は、あくまでも論理的機能の分割であり、実際の実現においては、全部又は一部が１つの物理的実体に統合されてもよいし、物理的に分離されてもよい。これらのモジュールは、全てソフトウェアが処理素子によって呼び出される形態で実現されてもよいし、全てハードウェアとして実現されてもよいし、更に、一部のモジュールを処理素子呼び出しソフトウェア、一部のモジュールをハードウェアとして実現することも可能である。例えば、決定モジュールは、個別に設けられた処理素子であってもよいし、上記装置のいずれかのチップに集積されて実現されてもよく、また、プログラムコードの形態で上記装置のメモリに記憶され、上記装置のいずれかの処理素子によって上記決定モジュールの機能が呼び出されて実行されるようにしてもよい。他のモジュールの実現は、同様である。また、これらのモジュールは、全部又は一部が一体化されていてもよいし、独立して実現されていてもよい。ここでいう処理素子とは、信号の処理能力を有する集積回路のことである。実施において、上記方法の各ステップ又は上記の各モジュールは、プロセッサ素子内のハードウェアの集積論理回路又はソフトウェア形態の命令によって実行されてもよい。
【００９３】
例えば、上記モジュールは、上記方法を実施するように構成された１つ又は複数の集積回路、例えば、１つ又は複数の特定の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称される）、１つ又は複数のマイクロプロセッサ（ｄｉｇｉｔａｌ  ｓｉｇｎａｌ  ｐｒｏｃｅｓｓｏｒ、ＤＳＰと略称される）、又は１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡと略称される）などである。また、上記モジュールが、処理素子でプログラムコードを呼び出す形態で実現される場合、この処理素子は、中央処理装置（Ｃｅｎｔｒａｌ  Ｐｒｏｃｅｓｓｉｎｇ  Ｕｎｉｔ、ＣＰＵと略称される）などの汎用プロセッサ、又は、プログラムコードを呼び出すことができる他のプロセッサである。また、これらのモジュールは、一体化されてシステムオンチップ（ｓｙｓｔｅｍ−ｏｎ−ａ−ｃｈｉｐ、ＳＯＣと略称される）の形態で実現されてもよい。
【００９４】
具体的に、本開示の実施例は、ネットワーク機器を更に提供する。図１１に示すように、該ネットワーク機器１１００は、アンテナ１１１と、ラジオ周波数装置１１２と、ベースバンド装置１１３を含む。アンテナ１１１は、ラジオ周波数装置１１２に接続される。上り方向では、ラジオ周波数装置１１２は、アンテナ１１１を介して情報を受信し、受信した情報をベースバンド装置１１３に送信して処理する。下り方向では、ベースバンド装置１１３は、送信すべき情報を処理してラジオ周波数装置１１２に送信する。ラジオ周波数装置１１２は、受信した情報を処理してアンテナ１１１を介して送信する。
【００９５】
上記周波数バンド処理装置は、ベースバンド装置１１３に位置してもよく、上記実施例でネットワーク機器によって実行される方法は、ベースバンド装置１１３で実現可能である。このベースバンド装置１１３は、プロセッサ１１４とメモリ１１５を含む。
【００９６】
ベースバンド装置１１３は、例えば少なくとも１つのベースバンドボードを含む。このベースバンドボードには、複数のチップが設けられている。図１１に示すように、そのうちの１つのチップは、例えばプロセッサ１１４である。プロセッサ１１４は、メモリ１１５に接続され、メモリ１１５の中のプログラムを呼び出すことによって、上記実施例に示されるネットワーク機器の動作を実行する。
【００９７】
このベースバンド装置１１３は、ラジオ周波数装置１１２との情報のやり取りに用いられるネットワークインタフェース１１６を更に含んでもよい。このインタフェースは、例えば汎用共通無線インタフェースＣＰＲＩ（ｃｏｍｍｏｎ  ｐｕｂｌｉｃ  ｒａｄｉｏ  ｉｎｔｅｒｆａｃｅ）である。
【００９８】
ここのプロセッサは、１つのプロセッサであってもよく、複数の処理素子の総称であってもよい。例えば、このプロセッサは、ＣＰＵであってもよく、ＡＳＩＣであってもよく、又は、上記のネットワーク機器によって実行される方法を実施するために構成される１つ又は複数の集積回路、例えば、１つ又は複数のマイクロプロセッサＤＳＰ、又は１つ又は複数のフィールドプログラマブルゲートアレイＦＰＧＡなどである。記憶素子は、１つのメモリであってもよく、複数の記憶素子の総称であってもよい。
【００９９】
メモリ１１５は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本願に記載のメモリ１１５は、これらに限られず、これら及びこれら以外の任意の適合する種類のメモリを含むとする。
【０１００】
具体的には、本開示の一部実施例に係るネットワーク機器は、メモリ１１５に格納されてプロセッサ１１４で動作可能なコンピュータプログラムを更に含む。プロセッサ１１４は、メモリ１１５の中のコンピュータプログラムを呼び出して、図５又は図１０に示す各モジュールによって実行される方法を実行する。
【０１０１】
具体的には、プロセッサ１１４がメモリ１１５の中のコンピュータプログラムを呼び出して、図６に示す各モジュールによって実行される方法を実行する場合、それと同じ技術効果を達成することができる。コンピュータプログラムがプロセッサ１１４によって呼び出されると、上り信号を受信し、上り信号の中の目標復調用参照信号ＤＭＲＳに基づいて、端末の上りデータを決定することを実行する。ここで、該端末は、少なくとも２つの復調用参照信号ＤＭＲＳ識別子に対応し、目標ＤＭＲＳは、少なくとも２つのＤＭＲＳ識別子で指示されるＤＭＲＳのうちの１つである。
【０１０２】
具体的には、プロセッサ１１４がメモリ１１５の中のコンピュータプログラムを呼び出して、図８に示す各モジュールによって実行される方法を実行する場合、それと同じ技術効果を達成することができる。コンピュータプログラムがプロセッサ１１４によって呼び出されると、端末に対し少なくとも２つの位相追従用参照信号ＰＴＲＳ設定パラメータを設定することを実行する。
【０１０３】
ここで、ネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局ＢＴＳ（Ｂａｓｅ  Ｔｒａｎｓｃｅｉｖｅｒ  Ｓｔａｔｉｏｎ）であってもよく、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局ＮＢ（ＮｏｄｅＢ）であってもよく、更に、ＬＴＥにおけるｅＮＢ又はｅＮｏｄｅＢ（Ｅｖｏｌｕｔｉｏｎａｌ  Ｎｏｄｅ  Ｂ）であってもよく、又は中継局やアクセスポイントであり、又は将来の５Ｇネットワークにおける基地局などであり、ここでは限定されない。
【０１０４】
上記目的をよりよく実現するために、更に、図１２は、本開示の各実施例を実現する端末のハードウェア構造図である。該端末１２０は、ラジオ周波数ユニット１２１と、ネットワークモジュール１２２と、音声出力ユニット１２３と、入力ユニット１２４と、センサ１２５と、表示ユニット１２６と、ユーザ入力ユニット１２７と、インタフェースユニット１２８と、メモリ１２９と、プロセッサ１２１０と、電源１２１１などの構成要素を含むが、これらに限定されない。図１２に示される端末の構造は、端末を限定するものではなく、端末は、図示されるよりも多い又は少ない構成要素を含むことができ、又は特定の構成要素を組み合わせることができ、又は異なる構成要素の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【０１０５】
ここで、ラジオ周波数ユニット１２１は、上り信号を受信し、プロセッサ１２１０は、上り信号の中の目標復調用参照信号ＤＭＲＳに基づいて、端末の上りデータを決定する。ここで、端末は、少なくとも２つの復調用参照信号ＤＭＲＳ識別子に対応し、目標ＤＭＲＳは、少なくとも２つのＤＭＲＳ識別子で指示されるＤＭＲＳのうちの１つである。
【０１０６】
又は、ラジオ周波数ユニット１２１は、少なくとも２つの復調用参照信号ＤＭＲＳ識別子を受信し、プロセッサ１２１０は、目標ＤＭＲＳを用いて、多元接続リソースで上りデータを送信する。ここで、目標ＤＭＲＳは、少なくとも２つのＤＭＲＳ識別子で指示されるＤＭＲＳのうちの１つである。
【０１０７】
なお、本開示の一部実施例において、ラジオ周波数ユニット１２１は、情報の送受信又は通話中で信号の送受信に用いられ、具体的に、基地局から下りデータを受信した後、プロセッサ１２１０による処理に供し、また、上りデータを基地局に送信する。一般に、ラジオ周波数ユニット１２１は、アンテナ、少なくとも１つの増幅器、トランシーバ、結合器、低雑音増幅器、デュプレクサなどを含むが、それらに限定されない。また、ラジオ周波数ユニット１２１は、無線通信システムを介してネットワークや他の機器と通信を行うこともできる。
【０１０８】
端末は、ネットワークモジュール１２２を介して、電子メールの送受信、ウェブページの閲覧、ストリーミングメディアへのアクセスを支援するなど、無線ブロードバンドインターネットアクセスをユーザに提供する。
【０１０９】
音声出力ユニット１２３は、ラジオ周波数ユニット１２１やネットワークモジュール１２２が受信した音声データや、メモリ１２９に記憶された音声データを音声信号に変換して音声として出力することができる。また、音声出力ユニット１２３は、端末１２０が実行する特定の機能に関する音声（例えば、呼出信号着信音、メッセージ着信音等）を出力してもよい。音声出力ユニット１２３は、スピーカ、ブザー及びレシーバなどを含む。
【０１１０】
入力ユニット１２４は、音声や映像の信号を受信することに用いられる。入力ユニット１２４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）１２４１と、マイク１２４２とを含む。処理された画像フレームは、表示ユニット１２６上に表示される。グラフィックスプロセッサ１２４１で処理された画像フレームは、メモリ１２９（又は他の記憶媒体）に記憶されるか、又はラジオ周波数ユニット１２１又はネットワークモジュール１２２を介して送信される。マイク１２４２は、音声を受信し、音声データに加工することができる。処理された音声データは、電話通話モードの場合、ラジオ周波数ユニット１２１を介して移動体通信基地局に送信可能な形式に変換して出力することができる。
【０１１１】
端末１２０は、光センサ、モーションセンサ及び他のセンサのような少なくとも１つのセンサ１２５を更に含む。具体的には、光センサは、周辺光センサ及び近接センサを含む。周辺光センサは、周辺光の明暗に応じて表示パネル１２６１の輝度を調節し、近接センサは、端末１２０が耳に移動したときに表示パネル１２６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（例えば、歩数計、ストローク）などに用いることができる。センサ１２５は、指紋センサ、圧力センサ、虹彩センサ、分子センサ、ジャイロスコープ、気圧計、湿度計、温度計、赤外線センサなどを更に含むことができるが、ここでは枚挙しない。
【０１１２】
表示ユニット１２６は、ユーザが入力した情報やユーザに提供した情報を表示するために用いられる。表示ユニット１２６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル１２６１を含んでもよい。
【０１１３】
ユーザ入力ユニット１２７は、数字や文字情報の入力を受け付け、ユーザによる端末の設定や機能制御に関するキー信号の入力を行うことに用いられる。具体的に、ユーザ入力ユニット１２７は、タッチパネル１２７１と、その他の入力機器１２７２とを含む。タッチパネル１２７１は、タッチスクリーンとも呼ばれ、その上又は付近でのユーザのタッチ操作を取得可能である（例えばユーザが指やスタイラスなどの任意の適切な物体や付属部材を用いたタッチパネル１２７１の上又はタッチパネル１２７１の付近での操作）。タッチパネル１２７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１２１０に送り、プロセッサ１２１０からの命令を受信して実行する。なお、タッチパネル１２７１は、抵抗膜式、静電容量式、赤外線、表面弾性波など、種々の方式を用いて実現することができる。ユーザ入力ユニット１２７は、タッチパネル１２７１の他に、他の入力機器１２７２を含んでもよい。具体的に、他の入力機器１２７２は、物理的なキーボード、機能キー（例えば、音量調節キー、スイッチキーなど）、トラックボール、マウス、レバーを含むが、ここでは枚挙しない。
【０１１４】
更に、タッチパネル１２７１は、表示パネル１２６１に重ねられる。タッチパネル１２７１は、その上又はその近くでタッチ操作を検出すると、プロセッサ１２１０に送信して、タッチイベントのタイプを決定する。次いで、プロセッサ１２１０は、タッチイベントのタイプに応じて、対応する視覚的出力を表示パネル１２６１に提供する。図１２では、タッチパネル１２７１と表示パネル１２６１は、独立した２つの部品として端末の入出力機能を実現するが、実施例によっては、タッチパネル１２７１と表示パネル１２６１を一体化して端末の入出力機能を実現することもでき、具体的にここでは限定しない。
【０１１５】
インタフェースユニット１２８は、外部装置と端末１２０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット１２８は、外部装置から入力（例えば、データ情報、電力など）を受信し、受信した入力を端末１２０内の１つ以上の要素に伝送するために使用されてもよく、又は端末１２０と外部装置との間でデータを伝送するために使用されてもよい。
【０１１６】
メモリ１２９は、ソフトウェアプログラム及び様々なデータを格納するために使用される。メモリ１２９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ１２９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０１１７】
プロセッサ１２１０は、端末の制御センタであり、各種インタフェースや回線を用いて端末全体の各部を接続し、メモリ１２９に格納されたソフトウェアプログラム及び／又はモジュールを実行、メモリ１２９に格納されたデータを呼び出して端末の各種機能及び処理データを実行し、端末全体の監視を行う。プロセッサ１２１０は、１つ以上の処理ユニットを含んでもよい。任意選択で、プロセッサ１２１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ１２１０に統合されなくてもよいことが理解される。
【０１１８】
端末１２０は、各構成要素に電力を供給するためのバッテリのような電源１２１１を更に含んでもよい。選択可能に、電源１２１１は、電源管理システムを介してプロセッサ１２１０に論理的に接続されてもよく、電源管理システムを介して充電、放電、及び消費電力管理などを管理する機能を実現してもよい。
【０１１９】
また、端末１２０は、図示しない機能モジュールを更に含んでもよく、ここでの説明は省略する。
【０１２０】
任意選択で、本開示の実施例は、プロセッサ１２１０と、メモリ１２９と、メモリ１２９に格納されてプロセッサ１２１０で動作可能なプログラムを含む端末を更に提供し、該プログラムがプロセッサ１２１０によって実行されると、上記情報伝送方法の実施例の各プロセスが実現され、且つ同じ技術効果を奏することもできるので、重複を避けるために、ここでは繰り返して記載しない。ここで、端末は、無線端末であってもよく有線端末であってもよい。無線端末とは、音声及び／又は他のサービスデータ接続性をユーザに提供する機器を指し、無線接続機能の携帯式機器、又は、無線モデムに接続される他の処理機器を有する。無線端末は、無線アクセスネットワーク（Ｒａｄｉｏ  Ａｃｃｅｓｓ  Ｎｅｔｗｏｒｋ、ＲＡＮと略称される）を介して１つ又は複数のコアネットワークと通信可能である。無線端末は、移動電話（又は「セルラー」電話と称される）などの移動端末、移動端末を有するコンピュータなどである。例えば、端末は、携帯式、ポータブル式、ハンドヘルド式、コンピュータ内蔵式又は車載の移動装置であり、無線アクセスネットワークとは音声及び／又はデータのやり取りを行う。例えば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、システム、受信契約ユニット（Ｓｕｂｓｃｒｉｂｅｒ  Ｕｎｉｔ）、受信契約局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ  ｏｒ  Ｕｓｅｒ  Ｅｑｕｉｐｍｅｎｔ）と呼ばれてもよいが、ここでは限定されない。
【０１２１】
本開示の実施例は、プログラムが格納されているコンピュータ読み取り可能な記憶媒体を更に提供し、当該プログラムがプロセッサによって実行されると、上記情報伝送方法の実施例の各プロセスが実現され、且つ同じ技術効果を奏することもできるので、重複を避けるために、ここでは繰り返して記載しない。ここで、前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０１２２】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１２３】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１２４】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１２５】
以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに位置してもよい。実際の必要に応じてそのうちの一部又はすべてのユニットを選択して本開示の実施例の目的を実現する。
【０１２６】
また、本開示の各実施例における各機能的ユニットは、１つの処理ユニットに一体化されていてもよいし、物理的に別々に設けられていてもよいし、２つ以上が一体化されてもよい。
【０１２７】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１２８】
なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現されることが理解できる。これは、当業者が本開示の説明を閲読して基本的なプログラミング技能を活用して実現できることである。
【０１２９】
従って、本開示の目的は、任意の計算装置で１つ又は一連のプログラムを実行することによっても実現される。前記計算装置は、周知されている汎用装置である。したがって、本開示の目的は、前記方法又は装置を実現するプログラムコードを含むプログラムプロダクトの提供のみでも実現される。即ち、このようなプログラムプロダクトも本開示を構成し、しかもこのようなプログラムプロダクトを記憶した記憶媒体も本開示を構成する。明らかに、前記記憶媒体は、任意の周知される記憶媒体又は将来開発される任意の記憶媒体である。なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【０１３０】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【符号の説明】
【０１３１】
１１  端末
１２  ネットワーク機器
４００  ネットワーク機器
４１０  第１受信モジュール
４２０  処理モジュール
６００  端末
６１０  第２受信モジュール
６２０  送信モジュール
８００  端末
８１０  受信モジュール
８２０  選択モジュール
１０００  ネットワーク機器
１０１０  設定モジュール
１１００  ネットワーク機器
１１１  アンテナ
１１２  ラジオ周波数装置
１１３  ベースバンド装置
１１４  プロセッサ
１１５  メモリ
１１６  ネットワークインタフェース
１２０  端末
１２１  ラジオ周波数ユニット
１２２  ネットワークモジュール
１２３  音声出力ユニット
１２４  入力ユニット
１２４１  グラフィックスプロセッサ
１２４２  マイク
１２５  センサ
１２６  表示ユニット
１２６１  表示パネル
１２７  ユーザ入力ユニット
１２７１  タッチパネル
１２７２  入力機器
１２８  インタフェースユニット
１２９  メモリ
１２１０  プロセッサ
１２１１  デンゲン
【図１】
2021530167.tif 000003
【図２】
2021530167.tif 000004
【図３】
2021530167.tif 000005
【図４】
2021530167.tif 000006
【図５】
2021530167.tif 000007
【図６】
2021530167.tif 000008
【図７】
2021530167.tif 000009
【図８】
2021530167.tif 000010
【図９】
2021530167.tif 000011
【図１０】
2021530167.tif 000012
【図１１】
2021530167.tif 000013
【図１２】
2021530167.tif 000014
【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
端末側に応用される情報伝送方法であって、
少なくとも２つの復調用参照信号（ＤＭＲＳ）識別子を受信することと、
目標ＤＭＲＳを用いて、多元接続リソースで上りデータを送信することとを含み、
ここで、前記目標ＤＭＲＳは、前記少なくとも２つのＤＭＲＳ識別子で指示されるＤＭＲＳのうちの１つである、情報伝送方法。
【請求項２】
前記ＤＭＲＳ識別子は、ＤＭＲＳ設定パラメータ及び／又はＤＭＲＳスクランブル情報を含む、請求項１に記載の情報伝送方法。
【請求項３】
前記ＤＭＲＳ設定パラメータは、ＤＭＲＳ設定の番号、ＤＭＲＳポート番号、ＤＭＲＳ時間領域位置、ＤＭＲＳとプリアンブルの対応関係、ＤＭＲＳと位相追従用参照信号（ＰＴＲＳ）の対応関係、ＤＭＲＳ帯域幅及びＤＭＲＳ伝送電力の少なくとも１つを含み、
前記ＤＭＲＳスクランブル情報は、ＤＭＲＳに対応する少なくとも２つのＤＭＲＳスクランブル識別子（ＩＤ）を含む、請求項２に記載の情報伝送方法。
【請求項４】
少なくとも２つの復調用参照信号（ＤＭＲＳ）識別子を受信する第２受信モジュールと、
目標ＤＭＲＳを用いて、多元接続リソースで上りデータを送信する送信モジュールとを含み、
ここで、前記目標ＤＭＲＳは、前記少なくとも２つのＤＭＲＳ識別子で指示されるＤＭＲＳのうちの１つである、端末。
【請求項５】
前記ＤＭＲＳ識別子は、ＤＭＲＳ設定パラメータ及び／又はＤＭＲＳスクランブル情報を含む、請求項４に記載の端末。
【請求項６】
前記ＤＭＲＳ設定パラメータは、ＤＭＲＳ設定の番号、ＤＭＲＳポート番号、ＤＭＲＳ時間領域位置、ＤＭＲＳとプリアンブルの対応関係、ＤＭＲＳと位相追従用参照信号（ＰＴＲＳ）の対応関係、ＤＭＲＳ帯域幅及びＤＭＲＳ伝送電力の少なくとも１つを含み、
前記ＤＭＲＳスクランブル情報は、ＤＭＲＳに対応する少なくとも２つのＤＭＲＳスクランブル識別子（ＩＤ）を含む、請求項５に記載の端末。
【請求項７】
ネットワーク機器側に応用される情報伝送方法であって、
目標復調用参照信号（ＤＭＲＳ）が含まれる上り信号を受信することと、
前記目標ＤＭＲＳに基づいて、端末の上りデータを決定することとを含み、
ここで、前記端末は、少なくとも２つの復調用参照信号ＤＭＲＳ識別子に対応し、前記目標ＤＭＲＳは、前記少なくとも２つのＤＭＲＳ識別子で指示されるＤＭＲＳのうちの１つである、情報伝送方法。
【請求項８】
目標復調用参照信号（ＤＭＲＳ）が含まれる上り信号を受信する第１受信モジュールと、
前記目標ＤＭＲＳに基づいて、端末の上りデータを決定する処理モジュールとを含み、
ここで、前記端末は、少なくとも２つの復調用参照信号ＤＭＲＳ識別子に対応し、前記目標ＤＭＲＳは、前記少なくとも２つのＤＭＲＳ識別子で指示されるＤＭＲＳのうちの１つである、ネットワーク機器。
【請求項９】
前記第１受信モジュールが上り信号を受信することの前に、
前記端末に対し少なくとも２つのＤＭＲＳ識別子を設定する、請求項８に記載のネットワーク機器。
【請求項１０】
前記ＤＭＲＳ識別子は、ＤＭＲＳ設定パラメータ及び／又はＤＭＲＳスクランブル情報を含む、請求項８に記載のネットワーク機器。
【請求項１１】
前記ＤＭＲＳ設定パラメータは、ＤＭＲＳ設定の番号、ＤＭＲＳポート番号、ＤＭＲＳ時間領域位置、ＤＭＲＳとプリアンブルの対応関係、ＤＭＲＳと位相追従用参照信号（ＰＴＲＳ）の対応関係、ＤＭＲＳ帯域幅及びＤＭＲＳ伝送電力の少なくとも１つを含む、請求項１０に記載のネットワーク機器。
【請求項１２】
前記ＤＭＲＳスクランブル情報は、ＤＭＲＳに対応する少なくとも２つのＤＭＲＳスクランブル識別子（ＩＤ）を含む、請求項１０に記載のネットワーク機器。
【請求項１３】
前記第１受信モジュールが上り信号を受信することの前に、
前記端末に対しＰＴＲＳ設定パラメータを設定する、請求項１０に記載のネットワーク機器。
【請求項１４】
１つのＰＴＲＳ設定パラメータは、１つのＤＭＲＳ識別子に対応する、請求項１３に記載のネットワーク機器。
【請求項１５】
前記ＰＴＲＳ設定パラメータは、ＰＴＲＳ設定の番号、ＰＴＲＳポート番号、ＰＴＲＳ時間周波数領域位置、ＰＴＲＳ時間周波数領域密度、ＰＴＲＳとプリアンブルの対応関係、ＰＴＲＳとＤＭＲＳの対応関係、及びＰＴＲＳ伝送電力の少なくとも１つを含む、請求項１３に記載のネットワーク機器。
【国際調査報告】
2021530167.tif 000015
2021530167.tif 000016
2021530167.tif 000017
2021530167.tif 000018